【手続補正書】
【提出日】平成20年7月17日(2008.7.17)
【手続補正１】
【補正対象書類名】明細書
【補正対象項目名】発明の名称
【補正方法】変更
【補正の内容】
【発明の名称】画像プリント作成装置および方法ならびにプログラム
【手続補正２】
【補正対象書類名】明細書
【補正対象項目名】特許請求の範囲
【補正方法】変更
【補正の内容】
【特許請求の範囲】
【請求項１】
使用者を含む被写体を撮影してその撮影画像をプリントする画像プリント作成装置であって、
被写体を複数回撮影することにより複数の撮影画像を生成する撮影手段と、
上記撮影画像を表示して第２画像の入力を受け付ける入力可能表示部と、上記複数の撮影画像に対応した複数の縮小画像を表示する画像表示部とを含む画像を表示する表示手段と、
上記画像表示部に表示されている複数の縮小画像の中から第２画像の入力対象とする撮影画像に対応する縮小画像を選択する画像選択手段と、
使用者に第２画像を入力させる第２画像入力手段と、
上記撮影画像と第２画像を合成して合成画像を生成する画像合成手段と、
撮影画像や合成画像をプリント出力するプリント手段と、
上記入力可能表示部に表示されている撮影画像に入力された第２画像を、上記第２画像の入力が行なわれた撮影画像に対応する画像表示部における縮小画像に表示させるように制御する制御手段とを備えたことを特徴とする画像プリント作成装置。
【請求項２】
上記制御手段は、上記表示手段にペン入力の入力モードを選択する入力モード選択ボタンを表示し、上記入力モード選択ボタンの操作により消去モードが選択され、上記入力可能表示部に表示された第２画像も消去されるように制御する請求項１記載の画像プリント作成装置。
【請求項３】
上記第２画像入力手段を複数備え、
上記制御手段は、入力可能表示部を表示手段に複数表示し、上記複数の第２画像入力手段それぞれで、上記入力可能表示部のそれぞれに表示される撮影画像に対して同時に第２画像の入力を許容するよう制御する請求項１または２記載の画像プリント作成装置。
【請求項４】
使用者を含む被写体を撮影してその撮影画像をプリントする画像プリント作成方法であって、
被写体を複数回撮影することにより複数の撮影画像を生成する撮影ステップと、
上記撮影画像を表示して第２画像の入力を受け付ける入力可能表示ステップと、
上記複数の撮影画像に対応した複数の縮小画像を表示する画像表示ステップと、
上記画像表示ステップで表示されている複数の縮小画像の中から第２画像の入力対象とする撮影画像に対応する縮小画像を選択する画像選択ステップと、
使用者に第２画像を入力させる第２画像入力ステップと、
上記撮影画像と第２画像を合成して合成画像を生成する画像合成ステップと、
撮影画像や合成画像をプリント出力するプリントステップと、
上記入力可能表示ステップで表示されている撮影画像に入力された第２画像を、上記第２画像の入力が行なわれた撮影画像に対応する画像表示ステップにおける縮小画像に表示させるステップとを備えたことを特徴とする画像プリント作成方法。
【請求項５】
使用者を含む被写体を撮影してその撮影画像をプリントする画像プリント作成プログラムであって、
被写体を複数回撮影することにより複数の撮影画像を生成する撮影ステップと、
上記撮影画像を表示して第２画像の入力を受け付ける入力可能表示ステップと、
上記複数の撮影画像に対応した複数の縮小画像を表示する画像表示ステップと、
上記画像表示ステップで表示されている複数の縮小画像の中から第２画像の入力対象とする撮影画像に対応する縮小画像を選択する画像選択ステップと、
使用者に第２画像を入力させる第２画像入力ステップと、
上記撮影画像と第２画像を合成して合成画像を生成する画像合成ステップと、
撮影画像や合成画像をプリント出力するプリントステップと、
上記入力可能表示ステップで表示されている撮影画像に入力された第２画像を、上記第２画像の入力が行なわれた撮影画像に対応する画像表示ステップにおける縮小画像に表示させるステップとをコンピュータ装置に実行させることを特徴とする画像プリント作成プログラム。
【手続補正３】
【補正対象書類名】明細書
【補正対象項目名】０００１
【補正方法】変更
【補正の内容】
【０００１】
【発明の属する技術分野】
本発明は、ゲームセンター等に設置され、硬貨等の投入により使用者を撮影し、撮影画像をプリントする画像プリント作成装置および方法ならびにプログラムに関するものである。
【手続補正４】
【補正対象書類名】明細書
【補正対象項目名】０００８
【補正方法】変更
【補正の内容】
【０００８】
本発明は、このような事情に鑑みなされたもので、手書き画像の第２画像の入力状態を常に確認することができる画像プリント作成装置および方法ならびにプログラムの提供を目的とする。
【手続補正５】
【補正対象書類名】明細書
【補正対象項目名】０００９
【補正方法】変更
【補正の内容】
【０００９】
【課題を解決するための手段】
上記の目的を達成するため、本発明の画像プリント作成装置は、使用者を含む被写体を撮影してその撮影画像をプリントする画像プリント作成装置であって、
被写体を複数回撮影することにより複数の撮影画像を生成する撮影手段と、
上記撮影画像を表示して第２画像の入力を受け付ける入力可能表示部と、上記複数の撮影画像に対応した複数の縮小画像を表示する画像表示部とを含む画像を表示する表示手段と、
上記画像表示部に表示されている複数の縮小画像の中から第２画像の入力対象とする撮影画像に対応する縮小画像を選択する画像選択手段と、
使用者に第２画像を入力させる第２画像入力手段と、
上記撮影画像と第２画像を合成して合成画像を生成する画像合成手段と、
撮影画像や合成画像をプリント出力するプリント手段と、
上記入力可能表示部に表示されている撮影画像に入力された第２画像を、上記第２画像の入力が行なわれた撮影画像に対応する画像表示部における縮小画像に表示させるように制御する制御手段とを備えたことを要旨とする。
また、本発明の画像プリント作成方法は、使用者を含む被写体を撮影してその撮影画像をプリントする画像プリント作成方法であって、
被写体を複数回撮影することにより複数の撮影画像を生成する撮影ステップと、
上記撮影画像を表示して第２画像の入力を受け付ける入力可能表示ステップと、
上記複数の撮影画像に対応した複数の縮小画像を表示する画像表示ステップと、
上記画像表示ステップで表示されている複数の縮小画像の中から第２画像の入力対象とする撮影画像に対応する縮小画像を選択する画像選択ステップと、
使用者に第２画像を入力させる第２画像入力ステップと、
上記撮影画像と第２画像を合成して合成画像を生成する画像合成ステップと、
撮影画像や合成画像をプリント出力するプリントステップと、
上記入力可能表示ステップで表示されている撮影画像に入力された第２画像を、上記第２画像の入力が行なわれた撮影画像に対応する画像表示ステップにおける縮小画像に表示させるステップとを備えたことを要旨とする。
また、本発明の画像プリント作成プログラムは、使用者を含む被写体を撮影してその撮影画像をプリントする画像プリント作成プログラムであって、
被写体を複数回撮影することにより複数の撮影画像を生成する撮影ステップと、
上記撮影画像を表示して第２画像の入力を受け付ける入力可能表示ステップと、
上記複数の撮影画像に対応した複数の縮小画像を表示する画像表示ステップと、
上記画像表示ステップで表示されている複数の縮小画像の中から第２画像の入力対象とする撮影画像に対応する縮小画像を選択する画像選択ステップと、
使用者に第２画像を入力させる第２画像入力ステップと、
上記撮影画像と第２画像を合成して合成画像を生成する画像合成ステップと、
撮影画像や合成画像をプリント出力するプリントステップと、
上記入力可能表示ステップで表示されている撮影画像に入力された第２画像を、上記第２画像の入力が行なわれた撮影画像に対応する画像表示ステップにおける縮小画像に表示させるステップとをコンピュータ装置に実行させることを要旨とする。
【手続補正６】
【補正対象書類名】明細書
【補正対象項目名】００１０
【補正方法】変更
【補正の内容】
【００１０】
すなわち、本発明は、上記入力可能表示部に表示されている撮影画像に入力された第２画像を、上記第２画像の入力が行なわれた撮影画像に対応する画像表示部における縮小画像に表示させる。このため、撮影画像に対して入力された第２画像は、撮影画像と合成されてその合成画像が画像表示部に表示され、使用者は第２画像の入力状態を常に確認することができる。
【手続補正７】
【補正対象書類名】明細書
【補正対象項目名】００１１
【補正方法】変更
【補正の内容】
【００１１】
本発明では、上記制御手段は、上記表示手段にペン入力の入力モードを選択する入力モード選択ボタンを表示し、上記入力モード選択ボタンの操作により消去モードが選択され、上記入力可能表示部に表示された第２画像も消去されるように制御するようにすることができる。
また、本発明では、上記第２画像入力手段を複数備え、
上記制御手段は、入力可能表示部を表示手段に複数表示し、上記複数の第２画像入力手段それぞれで、上記入力可能表示部のそれぞれに表示される撮影画像に対して同時に第２画像の入力を許容するよう制御することができる。
【手続補正８】
【補正対象書類名】明細書
【補正対象項目名】００１２
【補正方法】変更
【補正の内容】
【００１２】
本発明の画像プリント作成装置において、上記第２画像受付手段において受け付けられた第２画像が、第２画像受付手段に表示されるとともに画像表示部にも表示されるようになっている場合には、使用者は第２画像を入力しながらその入力状態を常に確認することができる。
本発明の画像プリント作成装置において、複数の撮影画像を生成し、画像表示部に複数の撮影画像を表示するとともに、上記画像表示部の撮影画像を選択することにより第２画像受付手段に第２画像受付可能に表示する撮影画像を選択しうるようになっている場合には、複数の撮影画像から所望の撮影画像を選択して第２画像を入力することができる。そして、１つの撮影画像に入力された第２画像の状態を確認しながら他の撮影画像に対して第２画像を入力することができる。したがって、複数の画像を比べながら第２画像を入力でき、同じような第２画像の入力を回避して多様な合成画像を得ることができる。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】